(57)【要約】【課題】日除け装置自体から屋外装置の筐体に伝わる熱量を減らすことのできる屋外装置用日除け装置を提供する。【解決手段】筐体１の一面に日除け装置２が設けられており、日除け装置２は、日除け装置外面（筐体とは反対側面）に日射熱を放熱するための複数の放熱用フィン３を備えている。複数の放熱用フィン３は、フィン方向が日除け装置外面に対して垂直になるようにして、日除け装置外面から突出させ、互いに隣り合うフィンの面が相対向するようにして所定の間隔を隔てて並列に配置されている。【選択図】図１
2012162854.tif 000002
【特許請求の範囲】
【請求項１】
屋外装置への日射光を遮る板状体の日除け装置であって、
前記板状体の一方の面に、日射熱を放熱するための複数の放熱用フィンを備え、前記放熱用フィンは、間隔を隔てて並列に配置されていることを特徴とする屋外装置用日除け装置。
【請求項２】
前記板状体は、前記放熱用フィンに沿って複数の開口部が形成されていることを特徴とする請求項１に記載の屋外装置用日除け装置。
【請求項３】
前記放熱用フィンは、フィンの方向を前記板状体の一方の面に対して傾斜させるようにして配置されていることを特徴とする請求項１または２に記載の屋外装置用日除け装置。
【発明の詳細な説明】
【技術分野】
【０００１】
本発明は、発熱源を有する屋外装置に日除けとして取り付けられる屋外装置用日除け装置に関する。
【背景技術】
【０００２】
屋外に配置される屋外装置（例えば、通信基地局装置）は、太陽からの日射の影響を免れない。日射等の影響により、基地局装置の温度が上昇すれば、その性能が劣化し、あるいは機能が停止することがある。そこで、例えば、特許文献１のように、通信基地局装置の周囲に平板状の日除け装置を設置することが考えられる。図７は、通信基地局装置の外観図であり、図８は、図7のＷ−Ｗ線矢視方向の断面図である。通信基地局装置は、筐体１１の一面に日除け装置１２が設けられており、日除け装置１２は、日射を直接受けるため、日射を受けると同時に日射熱を通信基地局装置の筐体側にも伝熱する構造となっている。
【先行技術文献】
【特許文献】
【０００３】
【特許文献１】特開平１０−０４１８７３号公報
【発明の概要】
【発明が解決しようとする課題】
【０００４】
従来の平板状の日除け装置は、太陽光にさらされる面に設置されて、図８に示すように、太陽からの日射を防ぐと同時に、防いだ日射熱を筐体側と外側との両方に伝熱していた。そのため、日射を防いでも、日除け装置自体の熱を屋外装置の筐体に伝えていた。
【０００５】
本発明は、このような問題点に鑑みてなされたものであり、本発明の目的は、日除け装置自体から屋外装置の筐体に伝わる熱量を減らすことのできる屋外装置用日除け装置を提供することにある。
【課題を解決するための手段】
【０００６】
上記目的を達成するため、本発明は、屋外装置への日射光を遮る板状体の日除け装置であって、前記板状体の一方の面に、日射熱を放熱するための複数の放熱用フィンを備え、前記放熱用フィンは、間隔を隔てて並列に配置されていることを特徴とする。
【０００７】
前記板状体は、前記放熱用フィンに沿って複数の開口部が形成されていることが好ましい。また、前記放熱用フィンは、フィンの方向を前記板状体の一方の面に対して傾斜させるようにして配置されていることが好ましい。
【発明の効果】
【０００８】
本発明は、一方の面に、日射熱を放熱するための複数の放熱用フィンを備えているので、日除け装置自体から屋外装置の筐体に伝わる熱量を減らすことができる。
また、本発明は、日除け装置自体に開口部を形成することにより、日射を防ぎつつ筐体からの熱対流を効果的に行うことができる。
また、本発明は、更に放熱用フィンのフィン方向を傾斜させることにより、日射の軽減と、筐体からの熱対流をより効果的に行うことができる。
【図面の簡単な説明】
【０００９】
【図１】本発明の第１実施例に係る日除け装置を装着した通信基地局装置の外観図である。
【図２】図１のＸ−Ｘ線矢視方向の断面図である。
【図３】本発明の第２実施例に係る日除け装置を装着した通信基地局装置の外観図である。
【図４】図３のＹ−Ｙ線矢視方向の断面図である。
【図５】本発明の第３実施例に係る日除け装置を装着した通信基地局装置の外観図である。
【図６】図５のＺ−Ｚ線矢視方向の断面図である。
【図７】従来の平板状の日除け装置を装着した通信基地局装置の外観図である。
【図８】図7のＷ−Ｗ線矢視方向の断面図である。
【発明を実施するための形態】
【００１０】
本発明の実施の形態について図面を参照して説明する。図１は、本発明の第１実施例に係る日除け装置を装着した通信基地局装置の外観図であり、図２は、図１のＸ−Ｘ線矢視方向の断面図である。図１および図２に示す通信基地局装置は、筐体１の一面に板状体の日除け装置２が設けられており、日除け装置２は、板状体の一方の面である日除け装置外面（筐体とは反対側面）に日射熱を放熱するための複数の放熱用フィン３を備えている。複数の放熱用フィン３は、フィン方向が日除け装置外面に対して垂直になるようにして、日除け装置外面から突出させ、互いに隣り合うフィンの面が相対向するようにして所定の間隔を隔てて並列に配置されている。
【００１１】
このように、第１実施例に係る日除け装置は、日除け装置外面に複数の放熱用フィンを備えているので、日射で温まった日除け装置の熱の筐体側への熱放射を抑えることができ、それによって日除け装置の熱放射による筐体の温度上昇を低減させることができる。
【００１２】
図３は、本発明の第２実施例に係る日除け装置を装着した通信基地局装置の外観図であり、図４は、図３のＹ−Ｙ線矢視方向の断面図である。図３および図４に示す通信基地局装置は、筐体１の一面に板状体の日除け装置４が設けられており、日除け装置４は、板状体の一方の面である日除け装置外面（筐体とは反対側面）に日射熱を放熱するための複数の放熱用フィン５を備えている。複数の放熱用フィン５は、フィン方向が日除け装置外面に対して垂直になるようにして、日除け装置外面から突出させ、互いに隣り合うフィンの面が相対向するようにして所定の間隔を隔てて並列に配置されている。
【００１３】
また、日除け装置４は、筐体１から放射される熱を逃がすために、放熱用フィン５に沿って、所定の間隔で長尺の複数の開口部（スリット孔）６を有する。このように、放熱用フィン５に沿って開口部６を有することによって、筐体１からの放熱効率を高めることができる。
【００１４】
このように、第２実施例に係る日除け装置は、日除け装置外面に複数の放熱用フィンを備えているので、日除け装置から筐体側への熱放射の熱量を減らすことができる。また、日除け装置に、開口部を有するので、日射を防ぎつつ、筐体からの放熱を効率的に行うことができる。
【００１５】
図５は、本発明の第３実施例に係る日除け装置を装着した通信基地局装置の外観図であり、図６は、図５のＺ−Ｚ線矢視方向の断面図である。図５および図６に示す通信基地局装置は、筐体１の一面に板状体の日除け装置７が設けられており、日除け装置７は、板状体の一方の面である日除け装置外面（筐体とは反対側面）に日射熱を放熱するための複数の放熱用フィン８を備えている。複数の放熱用フィン８は、フィン方向が日除け装置外面に対して傾斜するようにして、日除け装置外面から突出させ、互いに隣り合うフィンの面が相対向するようにして所定の間隔を隔てて並列に配置されている。
【００１６】
また、日除け装置７は、筐体１から放射される熱を逃がすために、放熱用フィン８に沿って、所定の間隔で長尺の複数の開口部（スリット孔）９を有する。放熱用フィン８が日除け装置外面に対して傾斜する角度は、開口部９に直射日射が入らない角度であることが好ましい。
【００１７】
このように、第３実施例に係る日除け装置は、日除け装置外面に複数の放熱用フィンを備えているので、日除け装置から筐体側への熱放射の熱量を減らすことができる。また、日除け装置に、開口部を有するので、日射を防ぎつつ、筐体からの放熱を効率的に行うことができる。さらに、放熱用フィンを日除け装置外面に対して傾斜させているので、日射が軽減され、筐体からの放熱をより効率的に行うことができる。
【００１８】
なお、上述の実施例の場合、日除け装置は、筐体とは離間して配置されており、日除け装置と筐体との間隔は、通気性を確保できる程度の間隔であることが好ましい。
また、上述の実施例では、放熱用フィンを、互いに隣り合うフィンの面が相対向するようにして所定の間隔を隔てて並列に配置したが、筐体内の発熱源付近では、間隔を狭くして放熱用フィンを配置するようにしても良い。放熱用フィンに沿って、所定の間隔で長尺の複数の開口部を設けたが、筐体内の発熱源付近では、間隔を狭くして開口部を設けるようにしても良い。
【００１９】
また、上述の実施例の場合、日除け装置は、熱伝導率の良い素材である、例えば、アルミニウム、銅タングステン合金、銅モリブデン合金、セラミックス等を素材として、押し出し成形にて連続的に放熱用フィンと一体成形して長尺な原型物を作成し、この長尺な原型物を所定の長さに切断するとともに、原型物に開口部やその他所定の加工を施して作成する。
【符号の説明】
【００２０】
１、１１  筐体
２、４、７、１２  日除け装置
３、５、８  放熱用フィン
６、９  開口部
【図１】
2012162854.tif 000003
【図２】
2012162854.tif 000004
【図３】
2012162854.tif 000005
【図４】
2012162854.tif 000006
【図５】
2012162854.tif 000007
【図６】
2012162854.tif 000008
【図７】
2012162854.tif 000009
【図８】
2012162854.tif 000010